【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
１又は複数の第１のユーザ機器に対し、第１のアップリンク−ダウンリンクのサブフレーム設定を少なくとも第１の時間区間で送信するステップと、
前記１又は複数の第１のユーザ機器に含まれる１又は複数の第２のユーザ機器に対し、第２のアップリンク−ダウンリンクのサブフレーム設定を少なくとも第２の時間区間で送信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信される、
通信システムで用いられる通信ノードにて実行される通信方法。
【請求項２】
通信ノードから、第１のアップリンク−ダウンリンクのサブフレーム設定を少なくとも第１の時間区間で受信するステップと、
前記通信ノードから、第２のアップリンク−ダウンリンクのサブフレーム設定を少なくとも第２の時間区間で受信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信される、
通信システムで用いられるユーザ機器にて実行される通信方法。
【請求項３】
前記第１の時間区間は６４０ｍｓであり、
前記第２の時間区間は１０ｍｓ、４０ｍｓ、又は１０ｍｓと４０ｍｓとの間である、
請求項１又は２に記載の通信方法。
【請求項４】
前記第１のアップリンク−ダウンリンクのサブフレーム設定は、システム情報ブロックタイプ１メッセージで送信される、
請求項１又は２に記載の通信方法。
【請求項５】
前記第１のアップリンク−ダウンリンクのサブフレーム設定は、準静的に送信される、
請求項１又は２に記載の通信方法。
【請求項６】
前記第２のアップリンク−ダウンリンクのサブフレーム設定は、他のアップリンク−ダウンリンクのサブフレーム設定におけるダウンリンクのサブフレームの上位集合であるダウンリンクのサブフレームを有するアップリンク−ダウンリンクのサブフレーム設定を示す、
請求項１又は２に記載の通信方法。
【請求項７】
前記第２のアップリンク−ダウンリンクのサブフレーム設定は、他のアップリンク−ダウンリンクのサブフレーム設定と共通なダウンリンクのサブフレームを有するアップリンク−ダウンリンクのサブフレーム設定を示す、
請求項１又は２に記載の通信方法。
【請求項８】
前記第２のアップリンク−ダウンリンクのサブフレーム設定は、ダウンリンクのハイブリッド自動再送要求参照設定として用いられるアップリンク−ダウンリンクのサブフレーム設定を示す、
請求項１又は２に記載の通信方法。
【請求項９】
前記ダウンリンク制御情報の巡回冗長検査は、ｅＩＭＴＡ（enhanced Interference Management and Traffic Adaptation）−ＲＮＴＩ（Radio Network Temporary Identifier）によりスクランブルされる、
請求項１又は２に記載の通信方法。
【請求項１０】
前記ｅＩＭＴＡ−ＲＮＴＩによりスクランブルされる前記ダウンリンク制御情報は、前記ダウンリンク制御情報がＴＤＤのアップリンク−ダウンリンクの再設定用であることを示す、
請求項９に記載の通信方法。
【請求項１１】
前記第２の時間区間は１つの無線フレームであり、前記ダウンリンク制御情報は、少なくとも、前記第２の時間区間の第１のダウンリンクのサブフレームで送信される、
請求項１又は２に記載の通信方法。
【請求項１２】
前記ダウンリンク制御情報は、無線フレームｎと次に到着する無線フレーム（ｎ＋１）とのアップリンク−ダウンリンク設定を示す、
請求項１又は２に記載の通信方法。
【請求項１３】
前記第２のアップリンク−ダウンリンクのサブフレーム設定は、１つの無線フレームの第２の時間区間で少なくとも繰り返され、前記ダウンリンク制御情報は、前記第２の時間区間の前半で第１のダウンリンクのサブフレームにより送信されると共に、前記第２の時間区間の後半で所定の第２のダウンリンクのサブフレームにより送信される、
請求項１又は２に記載の通信方法。
【請求項１４】
１又は複数の第１のユーザ機器に対し、第１のアップリンク−ダウンリンクのサブフレーム設定を少なくとも第１の時間区間で送信すると共に、前記１又は複数の第１のユーザ機器に含まれる１又は複数の第２のユーザ機器に対し、第２のアップリンク−ダウンリンクのサブフレーム設定を少なくとも第２の時間区間で送信する送信機を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信される、
通信システムで用いられる通信ノード。
【請求項１５】
通信ノードから、第１のアップリンク−ダウンリンクのサブフレーム設定を少なくとも第１の時間区間で受信すると共に、前記通信ノードから、第２のアップリンク−ダウンリンクのサブフレーム設定を少なくとも第２の時間区間で受信する受信機を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信される、
通信システムで用いられるユーザ機器。
【請求項１６】
通信ノードから、１又は複数の第１のユーザ機器に対し、第１のアップリンク−ダウンリンクのサブフレーム設定を少なくとも第１の時間区間で送信するステップと、
前記通信ノードから、前記１又は複数の第１のユーザ機器に含まれる１又は複数の第２のユーザ機器に対し、第２のアップリンク−ダウンリンクのサブフレーム設定を少なくとも第２の時間区間で送信するステップと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信される、
通信システムにて実行される通信方法。
【請求項１７】
１又は複数の第１のユーザ機器であって、１又は複数の第２のユーザ機器を含む前記第１のユーザ機器と、
前記１又は複数の第１のユーザ機器に対し、第１のアップリンク−ダウンリンクのサブフレーム設定を少なくとも第１の時間区間で送信すると共に、前記１又は複数の第２のユーザ機器に対し、第２のアップリンク−ダウンリンクのサブフレーム設定を少なくとも第２の時間区間で送信する通信ノードと、を備え、
前記第２のアップリンク−ダウンリンクのサブフレーム設定は、ＴＤＤ（Time division duplex）を再設定するために用いられる情報を含み、
前記第２のアップリンク−ダウンリンクのサブフレーム設定は、ＴＤＤのアップリンク−ダウンリンクのサブフレーム設定の１つを示し、
前記第２のアップリンク−ダウンリンクのサブフレーム設定は、ダウンリンク制御情報で送信される、
通信システム。
【手続補正２】
【補正対象書類名】明細書
【補正対象項目名】発明の名称
【補正方法】変更
【補正の内容】
【発明の名称】通信方法、通信ノード、ユーザ機器及び通信システム
【手続補正３】
【補正対象書類名】明細書
【補正対象項目名】００４７
【補正方法】変更
【補正の内容】
【００４７】
（１）通信システムで用いる通信ノードであって、ノードのカバーエリア内のユーザ機器（ＵＥｓ）に対し、第１のアップリンク−ダウンリンク設定を第１の時間区間内で送信し、前記ノードのカバーエリア内の選択されたユーザ機器（ＵＥｓ）に対し、第２のアップリンク−ダウンリンク設定を、第１の時間区間内で複数の第２の時間区間にわたって送信するように構成され、前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む、通信ノード。
（２）前記通信ネットワークはＬＴＥネットワークであり、前記通信ノードはＬＴＥリリース１１又はより高度なＬＴＥリリースでの動作用に設定されている、項目（１）に記載の通信ノード。
（３）ＬＴＥリリース８、ＬＴＥリリース９及び／又はＬＴＥリリース１０での動作用に設定された１又は複数のＵＥにサービスを提供する、項目（２）に記載の通信ノード。
（４）前記第２のアップリンク−ダウンリンク設定は、ＬＴＥリリース１１又はより高度なＬＴＥリリースでの動作用に設定されたＵＥに対し送信される、項目（２）又は項目（３）に記載の通信ノード。
（５）前記第１のアップリンク−ダウンリンク設定は、システム情報ブロックタイプ１（ＳＩＢ１）を用いて放送され、前記第１の時間区間は６４０ｍｓの典型的な期間を有する、項目（１）に記載の通信ノード。
（６）前記第２のアップリンク−ダウンリンク設定は、高速シグナリングアプローチに従って前記選択されたＵＥに対し送信される、項目（１）に記載の通信ノード。
（７）前記第２のアップリンク−ダウンリンク設定は、ＬＴＥ  ｔｉｍｅ  ｄｉｖｉｓｉｏｎ  ｄｕｐｌｅｘ（ＴＤＤ）スタンダードの下で、ＴＤＤ  アップリンク（ＵＬ）−ダウンリンク（ＤＬ）設定から得られる、項目（７）に記載の通信ノード。
（８）前記ＴＤＤ  ＵＬ−ＤＬ設定は、アップリンクからダウンリンクへの切り替え時点の周期性に基づくグループに分割される、項目（１）に記載の通信ノード。
（９）グループ内の全ての設定に共通なサブフレームを識別し、残りのサブフレームを再設定可能なサブフレームとして割り当てることにより、アップリンク−ダウンリンク設定の各グループにおいて、前記再設定可能なサブフレームが識別される、項目（８）に記載の通信ノード。
（１０）前記第２のアップリンク−ダウンリンク設定は、ダウンリンク制御情報（ＤＣＩ）として送信される、項目（６）に記載の通信ノード。
（１１）ＤＣＩの巡回冗長検査（ＣＲＣ）は、前記ＤＣＩが高速のアップリンク−ダウンリンク再設定に利用されることを示すｒａｄｉｏ  ｎｅｔｗｏｒｋ  ｔｅｍｐｏｒａｒｙ  ｉｄｅｎｔｉｆｉｅｒ（ＲＮＴＩ）を用いてスクランブルされる、項目（１０）に記載の通信ノード。
（１２）各第２の時間区間は少なくとも１つの無線フレームの期間を有し、前記ＤＣＩは、各第２の時間区間の前記第１のダウンリンクのサブフレーム内で送信される、項目（１０）に記載の通信ノード。
（１３）前記ＤＣＩは、現在のフレーム及び次に到着するフレームのＴＤＤ設定に関する情報を含む、項目（１２）に記載の通信ノード。
（１４）各第２の時間区間は少なくとも１つの無線フレームの期間を有し、前記ＤＣＩは、各第２の時間区間内で、前記第２の時間区間の前半で第１のダウンリンクのサブフレームにより送信されると共に、前記第２の時間区間の後半で所定の第２のダウンリンクのサブフレームにより送信される、項目（１０）に記載の通信ノード。
（１５）前記第１のダウンリンクのサブフレーム内で送信される前記ＤＣＩは、現在のフレームのＴＤＤ設定に関する情報を含み、前記第２のダウンリンクのサブフレームで送信される前記ＤＣＩは、次のフレームのＴＤＤ設定に関する情報を含む、項目（１４）に記載の通信ノード。
（１６）各グループにおいて、物理ダウンリンク共有チャネル（ＰＤＳＣＨ）ハイブリッド自動再送要求（ＨＡＲＱ）タイミングは、同じグループ内の他の設定の上位集合であるダウンリンクのサブフレームを有する選択されたグループ内の前記アップリンク−ダウンリンク設定のＰＤＳＣＨ  ＨＡＲＱタイミングに基づく、項目（８）から（１５）のいずれか１項に記載の通信ノード。
（１７）グループ用の物理アップリンク共有チャネル（ＰＵＳＣＨ）送信及びＰＵＳＣＨハイブリッド自動再送要求（ＨＡＲＱ）タイミングは、同じグループ内の他の設定の上位集合であるアップリンクのサブフレームを有する前記アップリンク−ダウンリンク設定のＰＵＳＣＨ送信及びＰＵＳＣＨ  ＨＡＲＱタイミングに基づく、項目（８）から（１５）のいずれか１項に記載の通信ノード。
（１８）通信ネットワークの通信ノードのカバーエリア内にあるユーザ機器（ＵＥ）用のアップリンク−ダウンリンク設定の割り当てを設定する方法であって、ノードのカバーエリア内の各ＵＥに対し、第１のアップリンク−ダウンリンク設定を送信すること、及び、前記ノードのカバーエリア内の選択されたユーザ機器（ＵＥｓ）に対し、第２のアップリンク−ダウンリンク設定を、前記第１の時間区間内で複数の第２の時間区間にわたって送信すること、を備え、前記第２のアップリンク−ダウンリンク設定は、１又は複数の前記選択されたＵＥにより使用される前記通信ノードにより再設定されることが可能な前記アップリンク−ダウンリンク設定内の再設定可能なサブフレームに関する情報を含む、方法。
（１９）通信ネットワークで用いるユーザ機器であって、通信ネットワーク内でサービスノードから第１の時間区間にわたって第１のアップリンク−ダウンリンク設定を受信し、前記サービスノードから、前記第１の時間区間内で複数の第２の時間区間にわたって第２のアップリンク−ダウンリンク設定を受信するように構成され、前記第２のアップリンク−ダウンリンク設定は、前記ユーザ機器により使用される前記サービスノードにより再設定されることが可能な前記アップリンク−ダウンリンク設定内の再設定可能なサブフレームに関する情報を含み、前記ユーザ機器は、前記サービスノードにフィードバックを供給することにより、前記サービスノードがアップリンク又はダウンリンクのサブフレームとして再設定可能なサブフレームを設定可能なように構成される。
（２０）通信ネットワークで用いるユーザ機器で実施される方法であって、通信ネットワーク内でサービスノードから第１の時間区間にわたって第１のアップリンク−ダウンリンク設定を受信すること、及び、前記サービスノードから、前記第１の時間区間内で複数の第２の時間区間にわたって第２のアップリンク−ダウンリンク設定を受信すること、を備え、前記第２のアップリンク−ダウンリンク設定は、前記ユーザ機器により使用される前記サービスノードにより再設定されることが可能な前記アップリンク−ダウンリンク設定内の再設定可能なサブフレームに関する情報を含み、前記ユーザ機器は、前記サービスノードにフィードバックを供給することにより、前記サービスノードがアップリンク又はダウンリンクのサブフレームとして再設定可能なサブフレームを設定することができるように構成される方法。
（２１）ユーザ機器（ＵＥｓ）と、ノードのカバーエリア内の前記ＵＥに対し、第１のアップリンク−ダウンリンク設定を第１の時間区間内で送信する通信ノードと、を備え、前記通信ノードは、前記ノードのカバーエリア内の選択されたユーザ機器（ＵＥｓ）に対し、第２のアップリンク−ダウンリンク設定を、前記第１の時間区間内で複数の第２の時間区間にわたって送信し、前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む通信システム。
（２２）通信システムで実行される方法であって、通信ノードからノードのカバーエリア内のユーザ機器（ＵＥｓ）に対し、第１のアップリンク−ダウンリンク設定を第１の時間区間内で送信すること、及び、前記通信ノードから前記ノードのカバーエリア内の選択されたユーザ機器（ＵＥｓ）に対し、第２のアップリンク−ダウンリンク設定を、前記第１の時間区間内で複数の第２の時間区間にわたって送信すること、を備え、前記第２のアップリンク−ダウンリンク設定は、１又は複数の前記選択されたＵＥにより使用される前記通信ノードにより再設定されることが可能な前記第１のアップリンク−ダウンリンク設定内の再設定可能なサブフレームに関する情報を含む方法。
（２３）通信システムで用いる通信ノードであって、ノードのカバーエリア内のユーザ機器（ＵＥｓ）に対し、第１のアップリンクダウンリンク設定を第１の時間区間内で送信し、前記ノードのカバーエリア内の選択されたユーザ機器（ＵＥｓ）に対し、第２のアップリンクダウンリンク設定を、前記第１の時間区間内で複数の第２の時間区間にわたって送信するように構成され、前記第２のアップリンクダウンリンク設定は、１又は複数の前記選択されたＵＥにより使用される前記ノードにより再設定されることが可能な前記アップリンクダウンリンク設定内の再設定可能なサブフレームに関する情報を含むノード。
（２４）前記通信ネットワークはＬＴＥネットワークであり、前記ノードはＬＴＥリリース１１又はより高度なＬＴＥリリースでの動作用に設定されている、項目（２３）に記載の通信ノード。
（２５）ＬＴＥリリース８、ＬＴＥリリース９及び／又はＬＴＥリリース１０での動作用に設定された１又は複数のＵＥにサービスを提供する、項目（２４）に記載の通信ノード。
（２６）前記第２のアップリンクダウンリンク設定は、ＬＴＥリリース１１又はより高度なＬＴＥリリースでの動作用に設定されたＵＥに対し送信される、項目（２４）又は項目（２５）に記載の通信ノード。
（２７）前記第１のアップリンクダウンリンク設定は、システム情報ブロックタイプ１（ＳＩＢ１）を用いて放送され、前記第１の時間区間は６４０ｍｓの典型的な期間を有する、項目（２４）から（２６）のいずれか１項に記載の通信ノード。
（２８）前記第２のアップリンクダウンリンク設定は、高速シグナリングアプローチに従って前記選択されたＵＥに対し送信される、項目（２４）から（２７）のいずれか１項に記載の通信ノード。
（２９）前記第２のアップリンクダウンリンク設定は、ＬＴＥ  ＴＤＤスタンダードの下で、利用可能なＴＤＤ  ＵＬ−ＤＬ設定から得られる、項目（２３）から（２８）のいずれか１項に記載の通信ノード。
（３０）前記利用可能なＴＤＤ  ＵＬ−ＤＬ設定は、アップリンクからダウンリンクへの切り替え時点の周期性に基づくグループに分割される、項目（２９）に記載の通信ノード。
（３１）グループ内の全ての設定に共通なサブフレームを識別し、残りのサブフレームを再設定可能なサブフレームとして割り当てることにより、アップリンクダウンリンク設定の各グループにおいて、前記再設定可能なサブフレームが識別される、項目（３０）に記載の通信ノード。
（３２）前記第２のアップリンク−ダウンリンク設定は、特定のダウンリンク制御情報（ＤＣＩ）として送信される、項目（２８）から（３１）のいずれか１項に記載の通信ノード。
（３３）前記ＤＣＩのＣＲＣは、前記ＤＣＩが高速のアップリンクダウンリンク再設定に利用されることを示すＲａｄｉｏ  Ｎｅｔｗｏｒｋ  Ｔｅｍｐｏｒａｒｙ  Ｉｄｅｎｔｉｆｉｅｒ（ＲＮＴＩ）を用いてスクランブルされる、項目（３２）に記載の通信ノード。
（３４）各第２の時間区間は少なくとも１つの無線フレームの期間を有し、前記ＤＣＩは、各第２の時間区間の前記第１のダウンリンクのサブフレーム内で送信される、項目（３２）又は（３３）に記載の通信ノード。
（３５）前記ＤＣＩは、現在のフレーム及び次に到着するフレームの前記ＴＤＤ設定に関する情報を含む、項目（３４）に記載の通信ノード。
（３６）各第２の時間区間は少なくとも１つの無線フレームの期間を有し、前記ＤＣＩは、各第２の時間区間内で、前記第２の時間区間の前半で第１のダウンリンクのサブフレームにより送信されると共に、前記第２の時間区間の後半で所定の第２のダウンリンクのサブフレームにより送信される、項目（３２）又は（３３）に記載の通信ノード。
（３７）前記第１のダウンリンクのサブフレーム内で送信される前記ＤＣＩは、現在のフレームの前記ＴＤＤ設定に関する情報を含み、前記第２のダウンリンクのサブフレームで送信される前記ＤＣＩは、次に到着するフレームの前記ＴＤＤ設定に関する情報を含む、項目（３６）に記載の通信ノード。
（３８）各グループにおいて、ＰＤＳＣＨ  ＨＡＲＱタイミングは、同じグループ内の他の設定の上位集合であるダウンリンクのサブフレームを有する選択されたグループ内の前記アップリンクダウンリンク設定のＰＤＳＣＨ  ＨＡＲＱタイミングに基づく、項目（３０）から（３７）のいずれか１項に記載の通信ノード。
（３９）グループにおけるＰＵＳＣＨ送信及びＰＵＳＣＨ  ＨＡＲＱタイミングは、同じグループ内の他の設定の上位集合であるアップリンクのサブフレームを有するアップリンクダウンリンク設定のＰＵＳＣＨ送信及びＰＵＳＣＨ  ＨＡＲＱタイミングに基づく、項目（３０）から（３８）のいずれか１項に記載の通信ノード。
（４０）通信ネットワークの通信ノードのカバーエリア内でユーザ機器（ＵＥｓ）へのアップリンクダウンリンクの割り当てを設定する方法であって、ノードのカバーエリア内の各ＵＥに対し、第１のアップリンクダウンリンク設定を送信すること、及び前記ノードのカバーエリア内の選択されたユーザ機器（ＵＥｓ）に対し、第２のアップリンクダウンリンク設定を、第１の時間区間内で複数の第２の時間区間にわたって送信すること、のステップを備え、前記第２のアップリンクダウンリンク設定は、１又は複数の前記選択されたＵＥにより使用される前記ノードにより再設定されることが可能なアップリンクダウンリンク設定内の再設定可能なサブフレームに関する情報を含む、方法。
（４１）通信ネットワーク内で用いられる携帯通信機器であって、通信ネットワーク内でサービス通信ノードから第１の時間区間にわたって第１のアップリンクダウンリンク設定を受信し、前記サービスノードから、前記第１の時間区間内で複数の第２の時間区間にわたって第２のアップリンクダウンリンク設定を受信するように構成され、前記第２のアップリンクダウンリンク設定は、前記携帯通信機器により使用される前記ノードにより再設定されることが可能なアップリンクダウンリンク設定内の再設定可能なサブフレームに関する情報を含み、前記携帯通信機器は、前記サービスノードにフィードバックを供給することにより、前記ノードがアップリンク又はダウンリンクのサブフレームとして再設定可能なサブフレームを設定可能なように構成される、携帯通信機器。
（４２）項目（２３）から（３９）で定義された１又は複数のノードと、項目（４０）で定義された１又は複数の携帯通信機器と、を備え、前記ノードは前記１又は複数の携帯通信機器にサービスを提供する、通信システム。
【手続補正４】
【補正対象書類名】明細書
【補正対象項目名】００４８
【補正方法】変更
【補正の内容】
【００４８】
この出願は、２０１２年１０月１２日に出願されたオーストラリア国仮特許出願Ｎｏ．２０１２９０４４７９を基礎とする優先権を主張し、その開示の全てをここに取り込む。